(57)【要約】【課題】両面光ディスクの第１面及び第２面にデータ記録動作または読み出し動作を自動的に遂行することができるようにするための両面光ディスクのためのアーカイブシステムを提供すること。【解決手段】本発明の両面光ディスクのためのアーカイブシステムは、ディスクピッカーロボットを基準に左側及び右側にそれぞれ設置された第１ドライブベイ及び第２ドライブベイのうち少なくともいずれか一つ以上のドライブベイ内に、両面ディスクの第２面にデータを記録するための光ディスクドライブを設置し、両面光ディスクの第１面及び第２面にデータ記録または読み出し動作を自動的に遂行できるようにする。【選択図】図５
2014093110.tif 000002
【特許請求の範囲】
【請求項１】
光ディスクを保管するためのディスクカートリッジと、
光ディスクドライブを設置するためのドライブベイと、
前記ディスクカートリッジに保管される光ディスクを抽出し、前記ドライブベイに設置される光ディスクドライブに挿入するためのディスクピッカーロボットとを備えるアーカイブシステムにおいて、
前記ディスクピッカーロボットの左側及び右側には第１ドライブベイ及び第２ドライブベイが設置され、
前記第１ドライブベイには両面光ディスクの第１面にデータを記録または読み出しするための光ディスクドライブが設置され、前記第２ドライブベイには両面光ディスクの第２面にデータを記録または読み出しするための光ディスクドライブが設置されることを特徴とする両面光ディスクのためのアーカイブシステム。
【請求項２】
前記ディスクピッカーロボットは２つ以上の光ディスクを搬送し、光ディスクが搬送される間隔は、同じドライブベイに設置される二つの光ディスクドライブの間の間隔に等しい、請求項１に記載の両面光ディスクのためのアーカイブシステム。
【請求項３】
前記ディスクピッカーロボットは、前記第１ドライブベイの光ディスクドライブによって両面光ディスクの第１面に対する記録または読み出し動作が完了したとき、前記両面光ディスクを抽出した後、前記第２ドライブベイの光ディスクドライブに挿入する、請求項１に記載の両面光ディスクのためのアーカイブシステム。
【請求項４】
前記第１ドライブベイの第１光ディスクドライブの挿入口及び前記第１光ディスクドライブに対向する、前記第２ドライブベイの第２光ディスクドライブの挿入口は、前記ディスクピッカーロボットが移動する方向を基準に所定距離だけ離隔され、前記ディスクピッカーロボットは、前記第１光ディスクドライブで前記両面光ディスクを抽出して前記所定距離だけ移動させた後、前記第２光ディスクドライブに挿入する、請求項３に記載の両面光ディスクのためのアーカイブシステム。
【請求項５】
前記第１ドライブベイの第１光ディスクドライブの挿入口及び前記第１光ディスクドライブに対向する、前記第２ドライブベイの第２光ディスクドライブの挿入口が前記ディスクピッカーロボットが移動する方向を基準に互いに整列されるように、前記第１ドライブベイ及び第２ドライブベイは所定距離だけ離隔される、請求項３に記載の両面光ディスクのためのアーカイブシステム。
【請求項６】
光ディスクを保管するためのディスクカートリッジと、
光ディスクドライブを設置するためのドライブベイと、
前記ディスクカートリッジに保管される光ディスクを抽出し、前記ドライブベイに設置される光ディスクドライブに挿入するためのディスクピッカーロボットとを備えるアーカイブシステムにおいて、
前記ディスクピッカーロボットの左側及び右側には第１ドライブベイ及び第２ドライブベイが設置され、
前記第１ドライブベイ及び第２ドライブベイには、両面光ディスクの第１面にデータを記録または読み出しするための光ディスクドライブと、両面光ディスクの第２面にデータを記録または読み出しするための光ディスクドライブとが一対で繰り返し設置され、
前記第１ドライブベイの光ディスクドライブ及びこれに対向する、前記第２ドライブベイの光ディスクドライブのうち一つは第１面にデータを記録または読み出し、他の一つは第２面にデータを記録または読み出しすることを特徴とする両面光ディスク記録のためのアーカイブシステム。
【請求項７】
前記ディスクピッカーロボットは２つ以上の光ディスクを搬送し、同じ方向のデータ面にデータを記録する、前記ディスクピッカーロボットが移動する方向を基準に一番近い、二つの光ディスクドライブの間の間隔で前記２つ以上の光ディスクを搬送する、請求項６に記載の両面光ディスクのためのアーカイブシステム。
【請求項８】
前記ディスクピッカーロボットが二つの光ディスクを搬送する場合、前記ディスクピッカーロボットは前記第１ドライブベイの一番目の光ディスクドライブ及び前記第２ドライブベイの二番目の光ディスクドライブにそれぞれ光ディスクを挿入し、光ディスクの第１面または第２面にデータを記録または読み出しする、請求項７に記載の両面光ディスクのためのアーカイブシステム。
【請求項９】
前記ディスクピッカーロボットは、前記第１面または第２面に対するデータ記録または読み出しが完了したとき、前記二つの光ディスクを抽出し、前記第１ドライブベイの一番目の光ディスクドライブの挿入口と、前記第２ドライブベイの一番目の光ディスクドライブの挿入口の間の間隔だけ移動した後、前記第２ドライブベイの一番目の光ディスクドライブ及び前記第１ドライブベイの二番目の光ディスクドライブにそれぞれ光ディスクを挿入して、光ディスクの第２面または第１面にデータを記録または読み出しする、請求項８に記載の両面光ディスクのためのアーカイブシステム。
【請求項１０】
光ディスクを保管するためのディスクカートリッジと、
光ディスクドライブを設置するためのドライブベイと、
前記ディスクカートリッジに保管される光ディスクを抽出し、前記ドライブベイに設置される光ディスクドライブに挿入するためのディスクピッカーロボットとを備えるアーカイブシステムにおいて、
前記ディスクピッカーロボットの左側及び右側には第１ドライブベイ及び第２ドライブベイが設置され、
前記第１ドライブベイには、両面光ディスクの第１面にデータを記録するためのｎ個の光ディスクドライブと、両面光ディスクの第２面にデータを記録するためのｎ個の光ディスクドライブとが順次に設置され、
前記第２ドライブベイには、両面光ディスクの第２面にデータを記録するためのｎ個の光ディスクドライブと、両面光ディスクの第１面にデータを記録するためのｎ個の光ディスクドライブとが順次に設置されることを特徴とする両面光ディスクのためのアーカイブシステム。
【発明の詳細な説明】
【技術分野】
【０００１】
本発明は二つのデータ記録面が互いに反対面に形成されている両面光ディスク(Double Sided Optical Disc)に適合するアーカイブシステムに関する。
【背景技術】
【０００２】
アーカイブシステムは、所蔵品又は資料などをデジタル情報に変え保管し、資料の間の関連を維持して管理するデータベースの一種であり、時間が経過するにつれて品質が低下するか、散らばる恐れがある情報をデジタル化することによって恒久的な記録及び保存・利用などができるようにするシステムである。単純に情報を蓄積するのではなく、いろいろな方法で情報を効率的に利用するように体系化して蓄積することに意味がある。
【０００３】
アーカイブシステムは、例えば図１に示すように、メインシャーシ１０１の側面にレール１０２が設置されているため、データセンターのラックにいくつかのディスクドライブを装着することができる。
【０００４】
また、アーカイブシステムの後面に設置されたリアカバー１０３には冷却ファンが設置されて、メインシャーシ１０１の中央にはリニアガイド１０４によって水平方向に移動するディスクピッカーロボット(Disc Picker Robot)１０５が設置される。
【０００５】
アーカイブシステムのフロントドア１０６を開けると、使用者がディスクピッカーロボット１０５の両方に設置されているディスクカートリッジ１０８を外部に抽出するかまたは内部に挿入することができる。例えば、ディスクカートリッジ１０８には２５０個の光ディスクを保管することができるため、両方のディスクカートリッジには最大５００個の光ディスクを保管することができる。
【０００６】
ディスクカートリッジ１０８の後面にはドライブベイ(Drive Bay)が設置されており、ドライブベイには、例えば、６個の光ディスクドライブ(ＯＤＤ: Optical Disc Drive)が設置され、ディスクピッカーロボット１０５の左側に設置されたドライブベイ１０７と、右側に設置されたドライブベイ１０８とには最大１２個の光ディスクが挿入され、データ記録または再生動作を同時に遂行できる。
【０００７】
ドライブベイ１０７、１０８は、例えばドライブベイＦＰＵ（Field Replacement Unit)と呼んでもよく、図２に示すように、３個の内部コネクター２０１、シングルボードコンピュータ(ＳＢＣ)２０３、ハードディスク２０３及び６個の光ディスクドライブ２０４で構成してもよく、６個の光ディスクドライブ２０４はスタビライザー２０５によって堅固に固定される。
【０００８】
ディスクピッカーロボット１０５は、図３に示すように、メインフレーム１５０１、モーター１５０２、キッカー(Kicker)１５０３、及びピッカー１０５４から構成され、例えば、肩形状を有するメインフレーム１５０１の両方にはそれぞれ二つのステップモーター及びそれぞれ二つのキッカーが設置される。
【０００９】
また、キッカー１５０３の回転動作によって、ディスクカートリッジから抽出される光ディスクがピッカー１０５４に挿入され、例えばピッカー１０５４には、二つの光ディスクを同時に挿入でき、ディスクピッカーロボット１０５は、左側のドライブベイ１０７及び右側のドライブベイ１０９の中央移動経路を経由し、任意の光ディスクドライブに光ディスクを挿入する。
【００１０】
例えば、図４に示すように、ディスクピッカーロボット１０５によって抽出された後、移動される第１光ディスク（Ｄｉｓｃ１）及び第２光ディスク（Ｄｉｓｃ２）は、左側のドライブベイ１０７に設置された第１光ディスクドライブ（ＯＤＤ１）１０７１及び第２光ディスクドライブ（ＯＤＤ２）１０７２にそれぞれ挿入される。
【００１１】
左側のドライブベイ１０７に設置されたシングルボードコンピュータ２０２は、第１光ディスクドライブ１０７１及び第２光ディスクドライブ１０７２をそれぞれ制御し、第１光ディスク及び第２光ディスクにデータを記録するかまたは再生する一連のデータ記録/再生動作を遂行する。
【００１２】
上記のようなデータ記録/再生動作が完了すると、ディスクピッカーロボット１０５は、第１光ディスク及び第２光ディスクを再度収集し、元々のディスクカートリッジに移動した後、保管する。
【００１３】
しかし、ドライブベイ１０７には、図４に示すように、一方の方向にだけデータを記録/再生するように光ディスクドライブが設置されているため、例えば、二つのデータ記録面が互いに反対面に形成されている両面光ディスクの場合、使用者は両面光ディスクの一方の面にデータを記録した後、両面光ディスクを覆して反対方向に挿入しなければならない不便さがある。
【発明の概要】
【発明が解決しようとする課題】
【００１４】
本発明の目的は、両面光ディスクの第１面及び第２面にデータ記録動作または読み出し動作を自動に遂行することができるようにするための、両面光ディスクのためのアーカイブシステムを提供することにある。
【課題を解決するための手段】
【００１５】
この目的を果たすために、本発明の両面光ディスクのためのアーカイブシステムは、光ディスクを保管するためのディスクカートリッジ及び光ディスクドライブを設置するためのドライブベイと、ディスクカートリッジに保管される光ディスクを抽出しドライブベイに設置される光ディスクドライブに挿入するためのディスクピッカーロボットとを含み、ディスクピッカーロボットの左側及び右側には第１ドライブベイ及び第２ドライブベイが設置され、第１ドライブベイには両面光ディスクの第１面にデータを記録または読み出しするための光ディスクドライブが設置され、第２ドライブベイには両面光ディスクの第２面にデータを記録または読み出しするための光ディスクドライブが設置されることを特徴とする。
【００１６】
一つの実施形態において、ディスクピッカーロボットは２つ以上の光ディスクを搬送するが、光ディスクが搬送される間隔は同じドライブベイに設置される二つの光ディスクドライブの間の間隔と同一である。
【００１７】
一つの実施形態において、ディスクピッカーロボットは、第１ドライブベイの光ディスクドライブによって両面光ディスクの第１面に対する記録または読み出し動作が完了すると、両面光ディスクを抽出した後、第２ドライブベイの光ディスクドライブに挿入することができる。
【００１８】
一つの実施形態において、第１ドライブベイの第１光ディスクドライブの挿入口及び第１光ディスクドライブに対向する、第２ドライブベイの第２光ディスクドライブの挿入口はディスクピッカーロボットが移動する方向を基準として所定距離だけ離隔され、ディスクピッカーロボットは、第１光ディスクドライブによって両面光ディスクを抽出し、所定距離だけ移動させた後、第２光ディスクドライブに挿入することができる。
【００１９】
一つの実施形態において、第１ドライブベイの第１光ディスクドライブの挿入口及び第１光ディスクドライブに対向する、第２ドライブベイの第２光ディスクドライブの挿入口がディスクピッカーロボットが移動する方向を基準に互いに整列されるように、第１ドライブベイと第２ドライブベイとは所定距離だけ離隔される。
【００２０】
本発明の他の実施形態に係る両面光ディスク記録のためのアーカイブシステムは、光ディスクを保管するためのディスクカートリッジと、光ディスクドライブを設置するためのドライブベイと、ディスクカートリッジに保管される光ディスクを抽出し、ドライブベイに設置される光ディスクドライブに挿入するためのディスクピッカーロボットとを含み、ディスクピッカーロボットの左側及び右側には第１ドライブベイ及び第２ドライブベイが設置され、第１ドライブベイ及び第２ドライブベイには、両面光ディスクの第１面にデータを記録または読み出しするための光ディスクドライブと、両面光ディスクの第２面にデータを記録または読み出しするための光ディスクドライブとが一対で繰り返し設置され、第１ドライブベイの光ディスクドライブ及びこれに対向する、第２ドライブベイの光ディスクドライブのうち一つは第１面にデータを記録または読み出し、他の一つは第２面にデータを記録または読み出しすることを特徴とする。
【００２１】
一つの実施形態において、ディスクピッカーロボットは２つ以上の光ディスクを搬送する。すなわち、同じ方向のデータ面にデータを記録する、ディスクピッカーロボットが移動する方向を基準に一番近い、二つの光ディスクドライブの間の間隔で２つ以上の光ディスクを搬送することができる。
【００２２】
一つの実施形態において、ディスクピッカーロボットが二つの光ディスクを搬送する場合、ディスクピッカーロボットは第１ドライブベイの一番目の光ディスクドライブと、第２ドライブベイの二番目の光ディスクドライブとにそれぞれ光ディスクを挿入し、光ディスクの第１面または第２面にデータを記録または読み出しすることができる。
【００２３】
一つの実施形態において、ディスクピッカーロボットは、第１面または第２面に対するデータ記録または読み出しが完了すると、二つの光ディスクを抽出し、第１ドライブベイの一番目の光ディスクドライブの挿入口と、第２ドライブベイの一番目の光ディスクドライブの挿入口との間の間隔だけ移動した後、第２ドライブベイの一番目の光ディスクドライブと第１ドライブベイの二番目の光ディスクドライブとにそれぞれ光ディスクを挿入して、光ディスクの第２面または第１面にデータを記録または読み出しすることができる。
【００２４】
本発明の更に他の実施形態に係る両面光ディスクのためのアーカイブシステムは、光ディスクを保管するためのディスクカートリッジ及び光ディスクドライブを設置するためのドライブベイと、ディスクカートリッジに保管される光ディスクを抽出してドライブベイに設置される光ディスクドライブに挿入するためのディスクピッカーロボットとを含み、ディスクピッカーロボットの左側及び右側には第１ドライブベイ及び第２ドライブベイが設置され、第１ドライブベイには、両面光ディスクの第１面にデータを記録するためのｎ個の光ディスクドライブと、両面光ディスクの第２面にデータを記録するためのｎ個の光ディスクドライブとが順次に設置され、第２ドライブベイには、両面光ディスクの第２面にデータを記録するためのｎ個の光ディスクドライブと、両面光ディスクの第１面にデータを記録するためのｎ個の光ディスクドライブとが順次に設置されることを特徴とする。
【発明の効果】
【００２５】
本発明の両面光ディスク用アーカイブシステムは、両面光ディスクの第１面及び第２面にデータ記録/読み出し動作を自動に遂行することができるため、使用者が両面光ディスクを覆して挿入する不便さを解消することができる。
【図面の簡単な説明】
【００２６】
【図１】一般的なアーカイブシステムの構成を示す図である。
【図２】一般的なドライブベイの構成を示す図である。
【図３】一般的なディスクピッカーロボットの構成を示す図である。
【図４】一般的なドライブベイの光ディスクドライブ内に光ディスクが挿入される実施形態を示す図である。
【図５】本発明の第１実施形態に係る両面光ディスク用アーカイブシステムを概略的に示す図である。
【図６】本発明の第１実施形態に係る両面光ディスク用アーカイブシステムを概略的に示す図である。
【図７】本発明の第２実施形態に係る両面光ディスク用アーカイブシステムを概略的に示す図である。
【図８】本発明の第２実施形態に係る両面光ディスク用アーカイブシステムを概略的に示す図である。
【図９】本発明の第３実施の形態に係る両面光ディスク用アーカイブシステムを概略的に示す図である。
【図１０】本発明の第３実施の形態に係る両面光ディスク用アーカイブシステムを概略的に示す図である。
【図１１】本発明の第４実施形態に係る両面光ディスク記録用アーカイブシステムを概略的に示す図である。
【図１２】本発明の第５実施形態に係る両面光ディスク記録用アーカイブシステムを概略的に示す図である。
【発明を実施するための形態】
【００２７】
以下、本発明に係る両面光ディスクのためのアーカイブシステムに関する望ましい実施形態について、添付された図面を参照し詳しく説明する。
【００２８】
まず、本発明に係る両面光ディスクのためのアーカイブシステムは、例えば図１乃至図３を参照して述べたように、複数の光ディスクを保管するためのディスクカートリッジ、複数の光ディスクドライブ（ＯＤＤ）が設置されたドライブベイ、及びディスクカートリッジに保管された光ディスクを抽出してドライブベイの光ディスクドライブに挿入するためのディスクピッカーロボットなどを含む。
【００２９】
また、ディスクピッカーロボットの左側及び右側には、例えば６個の光ディスクドライブがそれぞれ設置された第１ドライブベイ及び第２ドライブベイが互いに向き合う状態で設置される。
【００３０】
ディスクピッカーロボット１０５は、二つ以上の光ディスクを同時に載せて移動し、 共に前記ドライブベイの光ディスクドライブに挿入または抽出することができる。
【００３１】
本発明の第１実施形態に係るアーカイブシステムには、図５に示すように、両面光ディスクの第１面（Ａ）にデータを記録することができる方向に、６個の光ディスクドライブが左側の第１ドライブベイ１０７ 内に設置され、両面光ディスクの第２面（Ｂ）にデータを記録することができる方向に、６個の光ディスクドライブが右側の第２ドライブベイ１０９内に設置される。
【００３２】
ディスクピッカーロボット１０５は、ディスクカートリッジ内に保管された二つの両面ディスク（Ｄｉｓｃ１、２）を抽出した後、第１ドライブベイ１０７と第２ドライブベイ１０９との間に移動し、第１ドライブベイ１０７ 内に設置された第１光ディスクドライブ（ＯＤＤ１）及び第２光ディスクドライブ（ＯＤＤ２）に二つの両面ディスクをそれぞれ挿入する。
【００３３】
第１ドライブベイ１０７のシングルボードコンピュータ（ＳＢＣ）は、第１ドライブベイ１０７の第１光ディスクドライブ（ＯＤＤ１）及び第２光ディスクドライブ（ＯＤＤ２）を制御し、二つの両面ディスク(Ｄｉｓｃ１、Ｄｉｓｃ２)の第１面（Ａ）にデータを記録する一連のデータ記録動作を遂行する。勿論、第１光ディスクドライブ（ＯＤＤ１）及び第２光ディスクドライブ（ＯＤＤ２）は第１面（Ａ）に記録されたデータを読み出しするデータ読み出し動作を遂行することもできる。
【００３４】
そして、ディスクピッカーロボット１０５は、上記のような第１面（Ａ）のデータ記録動作が完了すると、二つの両面ディスク(Disc１、２)を抽出した後、第２ドライブベイ１０９内に設置された第１光ディスクドライブ（ＯＤＤ１）及び第２光ディスクドライブ（ＯＤＤ２）に二つの両面ディスクをそれぞれ挿入する。
【００３５】
また、第２ドライブベイ１０９のシングルボードコンピュータ（ＳＢＣ）は、第２ドライブベイ１０９の第１光ディスクドライブ（ＯＤＤ１）及び第２光ディスクドライブ（ＯＤＤ２）を制御し、二つの両面ディスクの第２面（Ｂ）にデータを記録する一連のデータ記録動作を遂行する。
【００３６】
第１ドライブベイ１０７の光ディスクドライブに形成された光ディスク挿入口と、第２ドライブベイ１０９の光ディスクドライブに形成された光ディスク挿入口とは、互いに対向するが、例えば、図５と図６に示すように、一定距離だけ離隔された状態で設置することができるため、ディスクピッカーロボット１０５は、これを勘案し、第１ドライブベイ１０７の第１光ディスクドライブ（ＯＤＤ１）及び第２光ディスクドライブ（ＯＤＤ２）に二つの両面ディスクを抽出した後、第１ドライブベイ１０７と第２ドライブベイ１０９との間で一定距離だけ移動し、第２ドライブベイ１０９内に設置された第１光ディスクドライブ（ＯＤＤ１）及び第２光ディスクドライブ（ＯＤＤ２）に二つの両面ディスクをそれぞれ挿入する。
【００３７】
図５及び図６の第１実施形態において、第１ドライブベイ１０７に設置された光ディスクドライブは同じ方向にデータを記録し、隣合う光ディスクドライブ同士の光ディスクを挿入する挿入口の間隔が一定であるため(第２ドライブベイ１０９も同じ)、光ディスクを載せて運ぶディスクピッカーロボット１０５が二つ以上の光ディスクが載せる間隔を挿入口の間隔と同じにして、二つの光ディスクを同時に光ディスクドライブに挿入/抽出することができる。また、第１実施形態において、ディスクピッカーロボット１０５は、第１ドライブベイ１０７のディスクドライブで抽出した光ディスクを第２ドライブベイ１０９のディスクドライブに挿入するときに、二つのドライブベイ（１０７、１０９）の挿入口の位置が行き違う一定間隔だけ移動すればよい。
【００３８】
これによって、使用者が両面光ディスクを覆し反対方向に挿入しなくても、両面光ディスクの第１面及び第２面にデータを自動で記録することができる。
【００３９】
一方、本発明の第２実施形態に係るアーカイブシステムには、例えば、両面光ディスクの第１面（Ａ）にデータを記録することができる６個の光ディスクドライブが左側の第１ドライブベイ１０７内に設置され、両面光ディスクの第２面（Ｂ）にデータを記録することができる６個の光ディスクドライブが右側の第２ドライブベイ１０９内に設置されるが、第１ドライブベイ１０７及び第２ドライブベイ１０９は、ディスクピッカーロボット１０５が移動する方向を基準に一定距離だけ離隔して設置される。
【００４０】
例えば、図７に示すように、第１ドライブベイ１０７の光ディスクドライブに形成された光ディスク挿入口と、第２ドライブベイ１０９の光ディスクドライブに形成された光ディスク挿入口とが互いに同一である位置に対向されるように、すなわち対向される二つの光ディスクドライブの二つの挿入口がディスクピッカーロボット１０５が移動する方向を基準に互いに整列されるように、第１ドライブベイ１０７及び第２ドライブベイ１０９は前もって実施された実験結果によって測定された一定距離(d)だけ離隔して設置される。
【００４１】
ディスクピッカーロボット１０５は、図８に示すように、第１ドライブベイ１０７の第１光ディスクドライブ及び第２光ディスクドライブによって抽出された二つの両面光ディスクを、別途の移動なしに、第２ドライブベイ１０９の第１光ディスクドライブ及び第２光ディスクドライブに、より速かに挿入し、両面光ディスクの第１面及び第２面にデータを自動で記録できる。
【００４２】
一方、本発明の第３実施形態に係るアーカイブシステムには、両面光ディスクの第１面（Ａ）にデータを記録することができる光ディスクドライブと、両面光ディスクの第２面（Ｂ）にデータを記録することができる光ディスクドライブとを一対にし、左側の第１ドライブベイ及び右側の第２ドライブベイにそれぞれ繰り返し設置することができる。
【００４３】
例えば、図９に示すように、左側の第１ドライブベイ１０７には、第１面（Ａ）にデータを記録することができる光ディスクドライブと、第２面（Ｂ）にデータを記録することができる光ディスクドライブとが一対で繰り返し設置され、右側の第２ドライブベイ１０９には、第２面（Ｂ）にデータを記録することができる光ディスクドライブと、第１面（Ａ）にデータを記録することができる光ディスクドライブとが一対で繰り返し設置される。このとき、互いに対向する光ディスクドライブ、すなわち、第１ドライブベイ１０７の第１光ディスクドライブ（ＯＤＤ１）と、第２ドライブベイ１０９の第１光ディスクドライブ（ＯＤＤ１）とはデータを記録する面がそれぞれ第１面（Ａ）と第２面（Ｂ）とで互いに異なる。
【００４４】
また、ディスクピッカーロボット１０５によって２つ以上の光ディスクが搭載される間隔を、同じ方向のデータ面にデータを記録する一番近い二つの光ディスクドライブの間の間隔で決めることができる。図９において、第１面（Ａ）にデータを記録する、第１ドライブベイ１０７の第１光ディスクドライブ（ＯＤＤ１）と、第２ドライブベイ１０９の第２光ディスクドライブ（ＯＤＤ２）とが一番近いため、二つの光ディスクドライブの間の間隔でディスクピッカーロボット１０５に二つの光ディスクを搭載することができる。
【００４５】
ディスクピッカーロボット１０５は、ディスクカートリッジ内に保管された二つの両面ディスク（Ｄｉｓｃ１、２)を抽出した後、第１ドライブベイ１０７と第２ドライブベイ１０９との間に第１ドライブベイ１０７の第１光ディスクドライブ（ＯＤＤ１）挿入口と、第２ドライブベイ１０９の第１光ディスクドライブ（ＯＤＤ１）挿入口との間隔だけ移動し、第１ドライブベイ１０７内に設置された第１光ディスクドライブ（ＯＤＤ１）に第１光ディスク（Ｄｉｓｃ１）を挿入し、第２ドライブベイ１０９内に設置された第２光ディスクドライブ（ＯＤＤ２）に第２光ディスク（Ｄｉｓｃ２)を挿入する。
【００４６】
第１ドライブベイ１０７のシングルボードコンピュータ（ＳＢＣ）は、第１ドライブベイ１０７の第１光ディスクドライブ（ＯＤＤ１）を制御して第１光ディスクの第１面にデータを記録し、第２ドライブベイ１０９のシングルボードコンピュータ（ＳＢＣ）は、第２ドライブベイ１０９の第２光ディスクドライブ（ＯＤＤ２）を制御して第２光ディスクの第１面にデータを記録する。
【００４７】
ディスクピッカーロボット１０５は、上記のような第１面（Ａ）のデータ記録動作が完了すると、二つの両面ディスク（Ｄｉｓｃ１、２）をそれぞれ抽出した後、図１０に示すように、第１ドライブベイ１０７の第１光ディスクドライブ（ＯＤＤ１）挿入口と、第２ドライブベイ１０９の第１光ディスクドライブ（ＯＤＤ１）挿入口との間隔だけ移動し、第２ドライブベイ１０９内に設置された第１光ディスクドライブ（ＯＤＤ１）に第１光ディスク(Ｄｉｓｃ１)を挿入し、第１ドライブベイ１０７内に設置された第２光ディスクドライブ（ＯＤＤ２）に第２光ディスク（Ｄｉｓｃ２）を挿入する。
【００４８】
また、第１ドライブベイ１０７のシングルボードコンピュータ（ＳＢＣ）は、第１ドライブベイ１０７の第２光ディスクドライブ（ＯＤＤ２）を制御して第２光ディスクの第２面にデータを記録し、第２ドライブベイ１０９のシングルボードコンピュータ（ＳＢＣ）は、第２ドライブベイ１０９の第１光ディスクドライブ（ＯＤＤ１）を制御して第１光ディスクの第２面にデータを記録する。
【００４９】
一方、本発明の第４実施形態に係るアーカイブシステムには、両面光ディスクの第１面（Ａ）にデータを記録することができる光ディスクドライブと、両面光ディスクの第２面（Ｂ）にデータを記録することができる光ディスクドライブとを一対にして、左側の第１ドライブベイ及び右側の第２ドライブベイにそれぞれ繰り返し設置するが、例えば、図１１に示すように、第１ドライブベイ及び第２ドライブベイにそれぞれ設置される光ディスクドライブが互いに対向するように設置することができる。
【００５０】
また、本発明の第５実施形態に係るアーカイブシステムには、例えば、図１２に示すように、両面光ディスクの第１面にデータを記録するための３個の光ディスクドライブと、両面光ディスクの第２面にデータを記録するための３個の光ディスクドライブとを順次に第１ドライブベイに設置することができる。
【００５１】
そして、両面光ディスクの第２面にデータを記録するための３個の光ディスクドライブと、両面光ディスクの第１面にデータを記録するための３個の光ディスクドライブとも、順次に第２ドライブベイに設置することができる。
【００５２】
また、この場合、第１ドライブベイ１０７の光ディスクドライブだけを使うか、または第２ドライブベイ１０９の光ディスクドライブだけを使って、両面光ディスクのデータ記録動作を遂行することもできる。
【００５３】
以上前述の本発明の望ましい実施形態は例示の目的のために開示されたものであり、当業者であれば以下に添付された特許請求範囲に開示された本発明の技術的思想及びその技術的範囲内において、更に他の多様な実施形態を改良、変更、代替または付加することが可能である。
【図１】
2014093110.tif 000003
【図２】
2014093110.tif 000004
【図３】
2014093110.tif 000005
【図４】
2014093110.tif 000006
【図５】
2014093110.tif 000007
【図６】
2014093110.tif 000008
【図７】
2014093110.tif 000009
【図８】
2014093110.tif 000010
【図９】
2014093110.tif 000011
【図１０】
2014093110.tif 000012
【図１１】
2014093110.tif 000013
【図１２】
2014093110.tif 000014